(57)【要約】【課題】  扉の大きさや重量に左右されず、片下りを効果的に防止でき、且つ耐久性のある構造の電気機器収納用キャビネットを提供する。【解決手段】  電気機器を収納するキャビネット本体１と、本体の開口部Ｐを閉塞する扉板２とを有し、扉板２が開口部Ｐの１辺に蝶着され、本体１の開口部Ｐは閉じた扉板２の周囲を囲む枠体１１を有し、枠体１１の扉板２の側面に対峙する内側面１１ｂを奥に至るに従い開口部Ｐを狭くする傾斜面を有して形成し、内側面１１ｂに面する扉板２の側面は、内側面１１ｂの傾斜面に合致する傾斜を有するよう形成した。【選択図】  図１
2015201482.tif 000002
【特許請求の範囲】
【請求項１】
電気機器を収納するキャビネット本体と、前記本体の開口部を閉塞する扉板とを有し、前記扉板が前記開口部の１辺に蝶着されて成る一方、前記本体の開口部は閉じた前記扉板の周囲を囲む枠体を有する電気機器収納用キャビネットであって、
前記枠体の前記扉板の側面に対峙する内側面のうち、少なくとも前記蝶着された１辺を除く３辺が奥に至るに従い前記開口部を狭くする傾斜面を有して形成されると共に、
前記内側面に面する前記扉板の側面は、前記傾斜面に合致する傾斜を有することを特徴とする電気機器収納用キャビネット。
【請求項２】
前記扉板は、前記側面に連続形成された枠状の背面を有し、
前記枠体は、閉じた前記扉板の前記背面が当接する当接面を前記内側面の奥に備え、
前記当接面は前記内側面から連続形成されて前記本体奥部に向けて傾斜形成され、前記枠体の内側が前記内側面と前記当接面とで断面く字状の２段階の傾斜面が形成されて成る一方、
前記扉板の背面は、前記当接面の傾斜に合致する傾斜を有することを特徴とする請求項１記載の電気機器収納用キャビネット。
【請求項３】
前記扉板の開放端側の前記枠体の少なくとも角部に、前記内側面から前記当接面に至る領域に樹脂部材から成る戸当り部材が取り付けられて成ることを特徴とする請求項１又は２記載の電気機器収納用キャビネット。
【発明の詳細な説明】
【技術分野】
【０００１】
本発明は電気機器を収納するキャビネットに関し、詳しくは蝶着された扉により本体開口部の開閉を実施する電気機器収納用キャビネットに関する。
【背景技術】
【０００２】
一端が蝶着された扉を備えて、開口部をその扉で開閉可能とした電気機器収納用キャビネットは、扉の他端は自由端であるため扉の重みで時間の経過と共に自由端側が下方へ傾く、所謂片下りの現象が発生した。
この片下りが発生すると、開閉操作時に扉とキャビネット本体との擦れが発生して異音が発生したり開け閉めがし辛くなるため、その対策として例えば特許文献１では、キャビネット本体の枠体に戸当りゴムを取り付けた。具体的に、キャビネット本体の開口部に、閉じた扉の周囲を覆う枠体を形成し、テーパ部を有するゴム製の戸当りゴムをその内側に配置して閉じた扉との隙間の発生を無くし、扉板の片下りの発生の防止を図ると共に、発生した片下りの矯正を可能とした。
【先行技術文献】
【特許文献】
【０００３】
【特許文献１】実開平７−７１７８７号公報
【発明の概要】
【発明が解決しようとする課題】
【０００４】
しかしながら、上記特許文献１の構成は、扉を点で支える構成であるため、比較的小型で軽量な扉に対しては有効なものであったが、大型なキャビネットや扉自体に重量がある場合には戸当りゴムの耐久性に難があり、長い期間に亘り機能を維持できなかった。
【０００５】
そこで、本発明はこのような問題点に鑑み、扉の大きさや重量に左右されず、片下りを効果的に防止でき、且つ耐久性のある構造の電気機器収納用キャビネットを提供することを目的としている。
【課題を解決するための手段】
【０００６】
上記課題を解決する為に、請求項１の発明は、電気機器を収納するキャビネット本体と、本体の開口部を閉塞する扉板とを有し、扉板が開口部の１辺に蝶着されて成る一方、本体の開口部は閉じた扉板の周囲を囲む枠体を有する電気機器収納用キャビネットであって、枠体の扉板の側面に対峙する内側面のうち、少なくとも蝶着された１辺を除く３辺が奥に至るに従い開口部を狭くする傾斜面を有して形成されると共に、内側面に面する扉板の側面は、傾斜面に合致する傾斜を有することを特徴とする。
この構成によれば、キャビネット本体の開口部は前面に比べて奥部が狭いし、扉板の周囲も前面に比べて背部は狭い。そのため、閉じた扉板を正しい閉鎖位置に自然に移動させることが可能となるし、正しい位置で扉板を保持することができ、片下りの発生を防止できる。また、片下りして開放端部が開口部に合致しない状態にあっても、枠体の傾斜面が扉板を案内して閉じる状態まで矯正することができ、閉じながら片下りを無理無く矯正できる。
そして、枠体の内側面と扉板の側面の双方が傾斜形成されるため、特定部位に負荷がかかる状態を回避でき、扉板が比較的大きな場合であっても、片下りの矯正作用に耐久性を持たせることができる。
【０００７】
請求項２の発明は、請求項１に記載の構成において、扉板は、側面に連続形成された枠状の背面を有し、枠体は閉じた扉板の背面が当接する当接面を内側面の奥に備え、当接面は内側面から連続形成されて本体奥部に向けて傾斜形成され、枠体の内側が内側面と当接面とで断面く字状の２段階の傾斜面が形成されて成る一方、扉板の背面は当接面の傾斜に合致する傾斜を有することを特徴とする。
この構成によれば、扉板を受け止める当接面も傾斜形成される一方、扉板背面も同様の傾斜を有するため、片下りした扉板であっても、閉じた状態では当接面との係合により片下りを確実に矯正できる。
【０００８】
請求項３の発明は、請求項１又は２記載の構成において、扉板の開放端側の枠体の少なくとも角部に、内側面から当接面に至る領域に樹脂部材から成る戸当り部材が取り付けられて成ることを特徴とする。
この構成によれば、枠体と扉板との接触による異音の発生を防止できるし、扉板を閉塞位置にスムーズに案内することができる。
【発明の効果】
【０００９】
本発明によれば、キャビネット本体の開口部は前面に比べて奥部が狭いし、扉板の周囲も前面に比べて背部は狭い。そのため、閉じた扉板を正しい閉鎖位置にスムーズに移動させることができるし、正しい位置で扉板を保持することができ、片下りの発生を防止できる。また、片下りして開放端部が開口部に合致しない状態にあっても、枠体の傾斜面が扉板を案内して閉じる状態まで矯正させることができ、片下りを閉じながら無理無く矯正できる。
そして、枠体の内側面と扉板の側面の双方が傾斜形成されるため、特定部位に負荷がかかる状態を回避でき、比較的大きな扉板であっても、片下りの矯正作用に耐久性を持たせることができる。
【図面の簡単な説明】
【００１０】
【図１】本発明に係る電気機器収納用キャビネットの一例を示し、（ａ）は扉板を開けた状態の斜視図、（ｂ）はＡ部拡大図である。
【図２】戸当りシートの斜視図である。
【図３】戸当りシートを取り付けた部位の断面説明図であり、（ａ）は閉じた状態、（ｂ）は僅かに開けた状態を示している。
【図４】戸当りシートを取り外したＡ部拡大図である。
【発明を実施するための形態】
【００１１】
以下、本発明を具体化した実施の形態を、図面を参照して詳細に説明する。図１は本発明に係る電気機器収納用キャビネットの一例を示し、（ａ）は扉板を開けた状態の斜視図、（ｂ）はＡ部拡大図である。図１において、１はキャビネットの本体、２は扉板、３は戸当りシートである。本体１、扉板２は鋼板を折り曲げ等して形成され、戸当りシート３は合成樹脂で形成されている。
【００１２】
本体１は、背板１ａ及び天板１ｂ、底板１ｃ、左右側板１ｄ，１ｅを有して内部に機器収納空間を形成している。そして、前面全体が開口され、扉板２で閉鎖される開口部Ｐが形成されている。
【００１３】
開口部Ｐの周囲となる本体１の前面は、本体１の強度を維持すると共に扉板２を収容するための枠体１１が周設されている。枠体１１は、天板１ｂ、底板１ｃ、側板１ｄ，１ｅのそれぞれから折り曲げて形成され、側方から一体に形成されている。
この枠体１１は、開口部Ｐを閉鎖した扉板２の前面に連続するよう形成された平坦な前面１１ａを有し、扉板２の側面に対峙する内側には内側面１１ｂ及び当接面１１ｃが形成されている。
【００１４】
内側面１１ｂは前面１１ａから折り曲げて形成され、扉板２の後述する側面２ｂに対峙するよう形成されている。また、当接面１１ｃは内側面１１ｂの先を更に折り曲げて形成され、扉板２の背面に当接して扉板２を閉鎖位置で保持するために形成されている。こうして、枠体１１は、扉板２を閉じた際に扉板２を収容して保持するよう構成されている。
【００１５】
扉板２は、平坦な前面２ａの周囲に強度維持のため側面２ｂが一定幅で周囲４辺に折り曲げ形成され、更にその先を折り曲げて背面２ｃを形成している。この側面２ａのうちの１辺（図１においては右側辺）が本体１に蝶着され、他方を自由端として開閉自在としている。尚、２１は開放端側に設けられた操作ハンドルである。
【００１６】
戸当りシート３は、開口部Ｐの角部に設置されている。具体的に、図１に示すように枠体１１の内側となる天板１ｂの下部と、底板１ｃの上部（図示せず）に設置されている。
図２は戸当りシート３の拡大図であり、枠体１１の内側面１１ｂ上に配置される第１片３ａと当接面１１ｃ上に配置される第２片３ｂと、枠体１１の角部に形成された隙間から枠体１１の背部に挿入されて戸当りシート３を枠体１１に係止させるための係止片３ｃとを有している。このうち第２片３ｂは折り曲げて二重に形成され、弾性を発揮するよう形成されている。
【００１７】
尚、図４は戸当りシート３を取り外したＡ部の拡大図を示し、枠体１１の当接面１１ｃ形成部の端部には隙間Ｓが形成され、戸当りシート３の係止片３ｃが挿入可能となっている。また、戸当りシート３は、強度を有して薄く形成でき且つ滑り摩擦の小さい合成樹脂製のシート、例えば高分子量ポリエチレンシートにより形成されている。
【００１８】
図３は戸当りシート３を取り付けた部位の枠体１１角部の断面説明図であり、（ａ）は扉板３を閉じた状態、（ｂ）は閉じる途中の状態を示している。図３に示すように、内側面１１ｂと当接面１１ｃとは互いに９０度を超える広角で連続形成され、双方とも傾斜形成されている。
具体的に、内側面１１ｂは本体１の内部に至るほど開口部Ｐが狭くなるよう傾斜を設けて形成され、当接面１１ｃも内側に至るほど本体１１の背部方向に近づくよう傾斜を設けて形成されている。こうして、内側面１１ｂ、当接面１１ｃの双方を傾斜形成し、扉板２収容部を図３に示すように断面く字状に形成している。
【００１９】
一方扉板２も図３に示すように、側面２ｂは内側面１１ｂの傾斜角度に合致する角度を有して閉鎖時は平行に対峙するよう形成され、前面２ａから鋭角に折り曲げて形成されている。更に、側面２ｂの先に当接面１１ｃに当接する係合面（背面）２ｃが折り曲げ形成され、この係合面２ｃも当接面１１ｃの角度に合致する角度で傾斜形成されている。
【００２０】
このように形成された内側面１１ｂ及び当接面１１ｃに対して、戸当りシート３は双方に亘って配置され、内側面１１ｂに接着部材４を介して接着されている。この結果、扉板２に片下りが発生したとしても、図３（ｂ）に示すように閉じる途中で枠体１１に接触し、傾斜形成された内側面１１ｂ上を摺動して扉板２は閉鎖位置まで移動する。このとき戸当りシート３の作用で、金属同士の接触による異音の発生を防止することができるし、大きな抵抗が発生すること無く扉板２をスムーズに閉塞位置に案内することができる。
【００２１】
このように、キャビネット本体１の開口部Ｐは前面に比べて奥部が狭くなるよう傾斜形成されると共に、扉板２の周囲も前面に比べて背部が狭く傾斜形成されることで、閉じた扉板２を正しい閉鎖位置に自然に移動させることができるし、正しい位置で扉板２を保持することができ、片下りの発生を防止できる。
また、片下りして開放端部が開口部Ｐに合致しない状態が発生しても、枠体１１の傾斜面が扉板２を案内して閉じる状態まで矯正させることができ、片下りを閉じながら無理無く矯正できる。そして、枠体１１の内側面１１ｂと扉板２の側面２ｂの双方が傾斜形成されるため、特定部位に負荷がかかる状態を回避でき、扉板２が比較的大きくても、片下りの矯正作用に耐久性を持たせることができる。
更に、扉板２を受け止める当接面１１ｃも傾斜形成される一方、扉板２の背面２ｃも同様の傾斜を有するため、片下りした扉板２であっても、閉じた状態では当接面１１ｃとの係合により片下りを確実に矯正できる。
【００２２】
尚、上記実施形態では、枠体１１の内側面１１ｂに加えて当接面１１ｃも傾斜形成したが、当接面１１ｃは傾斜形成せず平坦な面としても良い。
また、枠体１１の４辺全てに対して内側を傾斜形成しているが、扉板２を蝶着した１辺は片下りによる位置ズレは発生しないため傾斜形成しなくとも良い。
更に、戸当りシート３は開口部Ｐの上下２辺の角部のみに設置したが、側板１ｄ，１ｅの内側となる開口部Ｐの側部にも更に配置して、角部を中心に縦方向と横方向の双方に設置しても良いし、開口部Ｐの周囲全域に亘って設置しても良い。逆に、金属同士の接触による異音の発生を問題視しなければ、戸当りシートを設けなくとも良く、傾斜を設けた構成は扉板２の片下りの防止に引き続き有効に作用するものである。
【符号の説明】
【００２３】
１・・本体、２・・扉板、２ｂ・・側面、３・・戸当りシート（戸当り部材）、１１・・枠体、１１ｂ・・内側面、１１ｃ・・当接面、Ｐ・・開口部。
【図１】
2015201482.tif 000003
【図２】
2015201482.tif 000004
【図３】
2015201482.tif 000005
【図４】
2015201482.tif 000006